(57)【要約】  二枚の布部材４，４’を重ね配置し、排尿時に男性陰部Ｐを挿通する開口１０１を形成可能な前開き部１００を備えた男性用ショーツＳであって、開口１０１を形成する二枚の布部材４，４’の各縁部１Ｘ，１Ｙのうち、一方の縁部の上方端部を、他方の布部材に互いに重なる状態に接続し、双方の縁部１Ｘ，１Ｙの下方端部１Ｂ，１Ｄどうしを、前開き部１００の幅方向の中央部１６で接続してある。
2007097015.tif 000002
【特許請求の範囲】
【請求項１】
二枚の布部材を重ね配置し、排尿時に男性陰部を挿通する開口を形成可能な前開き部を備えた男性用ショーツであって、
前記開口を形成する前記二枚の布部材の各縁部のうち、一方の縁部の上方端部を、他方の布部材に互いに重なる状態に接続し、
双方の縁部の下方端部どうしを、前記前開き部の幅方向の中央部で接続してある男性用ショーツ。
【請求項２】
当該ショーツを装着した際に、前記二枚の布部材の夫々が、互いに凸状に重なり合う係合手段を備えている請求項１に記載の男性用ショーツ。
【請求項３】
前記係合手段が、前記二枚の布部材の夫々にダーツ処理を施すことによって設けた凸部である請求項２に記載の男性用ショーツ。
【請求項４】
前記各縁部が、前記幅方向の中央部に対して外側に凸状となるように構成してある請求項１に記載の男性用ショーツ。
【請求項５】
前記前開き部が、上下方向に長尺の略三角形形状であり、前記双方の縁部の下方端部どうしの接続が前記前開き部の上下方向の間の位置に設けてあるとともに、
前記前開き部の下端部が、男性陰部の基部裏側に位置するよう構成してある請求項１から４の何れか一項に記載の男性用ショーツ。
【発明の詳細な説明】
【技術分野】
【０００１】
本発明は、二枚の布部材を重ね配置し、排尿時に男性陰部を挿通する開口を形成可能な前開き部を備えた男性用ショーツに関する。
【背景技術】
【０００２】
従来の男性用ショーツ（以下、ショーツと称する）は、例えば図１９〜２３に示すものがあった。図１９，２０には、従来のショーツＳ’の前面視および後面視をそれぞれ示す。
ショーツＳ’の前面には開口１０１を形成可能な前開き部１００’が備えてある。前開き部１００’には二枚の布部材１ａ，２ａが重ね配置してあり（図２１：斜線部分）、各布部材１ａ，２ａにおけるそれぞれの縁部２Ｘ，２Ｙは他の布部材と縫合されない。排尿時には、各縁部２Ｘ，２Ｙの略中間点２Ｅ，２Ｆを互いに反対方向に引っ張ることで開口１０１が形成され（図２１，２２）、布部材１ａ，２ａを変形して形成された開口１０１から男性陰部Ｐの挿通が可能となる。  【０００３】
布部材１ａは、縁部２Ｘの上方端部２Ａより上方、および、下方端部２Ｂより下方の部分を他方の布部材２ａと縫合して接続してある。一方、布部材２ａは、縁部２Ｙの上方端部２Ｃより上方、および、下方端部２Ｄより下方の部分を他方の布部材１ａと縫合して接続している。上方端部２Ａ，２Ｃおよび下方端部２Ｂ，２Ｄの４点は、前股繰り１ｆ、２ｆの線上に設定してあるため、前開き部１００’は、二枚の布部材１ａ，２ａの重なりが略四角形状となっている。【０００４】
図２２に示すように、開口１０１の形成時における布部材１ａ，２ａの変形に伴い、縁部２Ｘの端部は上方端部２Ａ’および下方端部２Ｂ’の位置に移動し、縁部２Ｙの端部は上方端部２Ｃ’および下方端部２Ｄ’の位置に移動する。このように前開き部１００’の変形は、例えばウェスト位置Ｗは位置Ｗ’まで移動するというように、ショーツＳ’全体に及ぶ。【０００５】
上方端部２Ａ，２Ｃおよび下方端部２Ｂ，２Ｄの４点を結ぶ四角形で構成された前開き部１００’は、布部材１ａ，２ａの重なり面積が大きく、かつ、平面的（図２３参照）である。そのため、開口１０１を形成するには、各縁部２Ｘ，２Ｙの移動量が多くなり、この開き動作が煩雑となる。このため、従来のショーツＳ’では、できるだけ開き動作を小さくするために、縁部２Ｘ，２ＹをショーツＳ’の中心側に彎曲させて、布部材１ａ，２ａの重なり面積が少なくなるように構成している。
尚、上述した従来技術は一般的な技術内容であるため、先行技術文献は示さない。
【発明の開示】
【発明が解決しようとする課題】
【０００６】
ショーツＳ’を履いているとき、男性陰部Ｐの基部は、前面方向視でおおよそ前開き部１００’の下方付近に位置する（図２１）。  通常の使用態様では、形成される開口１０１の位置は、上方端部２Ａ，２Ｃおよび下方端部２Ｂ，２Ｄの４点で形成される四角形の対角線の交点付近である。つまり、開口１０１の位置は、ショーツＳ’を履いているときの男性陰部Ｐの基部の位置より上方となり（図２２）、両者の位置が一致しない。【０００７】
さらに、開口１０１の形成時において、布部材１ａ，２ａは開口１０１の上下で交差して、無理に変形させた状態となっている。このため、男性陰部Ｐが布部材１ａ，２ａによって左右から圧迫される。また、排尿時に男性陰部Ｐの先端を下方に向けようとすると、男性陰部Ｐの中間位置が開口１０１に干渉して尿道が下方から圧迫され、尿を排出し難くなる。その結果、残尿が生じるだけでなく、当該残尿がある場合には男性陰部Ｐより漏れ出る虞がある。【０００８】
このような残尿感を避けるため、男性陰部Ｐを開口１０１の外に挿通させる際に、できるだけ男性陰部Ｐの位置と開口１０１との位置が一致するように、開口１０１を強引に男性陰部Ｐの位置までずらす場合がある。このとき、尿道が下方から布部材１ａ，２ａによって圧迫され難くなるが、開口１０１の位置と男性陰部Ｐの位置とを一致させる力を維持する必要があるため、当該行為はやはり煩雑なものとなる。【０００９】
従って、本発明の目的は、迅速に排尿し易く、かつ、残尿感を感じ難い男性用ショーツを提供することにある。
【課題を解決するための手段】
【００１０】
上記目的を達成するための本発明の男性用ショーツの第一特徴構成は、二枚の布部材を重ね配置し、排尿時に男性陰部を挿通する開口を形成可能な前開き部を備えた男性用ショーツであって、前記開口を形成する前記二枚の布部材の各縁部のうち、一方の縁部の上方端部を、他方の布部材に互いに重なる状態に接続し、双方の縁部の下方端部どうしを、前記前開き部の幅方向の中央部で接続してある点にある。【００１１】
上記第一特徴構成によれば、一方の縁部の上方端部を、互いに他方の布部材に重なる状態に接続し、双方の縁部の下方端部どうしを、前記前開き部の幅方向の中央部で接続することで、二枚の布部材の重なりの形状は略三角形状となる。
従来のショーツでは、二枚の布部材の重なりが略四角形状となるのに比べると、本構成のショーツでは二枚の布部材の重なりの割合が少なくなる。【００１２】
ショーツを履いているときの男性陰部の基部は、前面方向視でおおよそ前開き部の下方付近に位置する。本構成の場合、開口が形成されるとき、前開き部の中央部の端部を支点として各布部材が変形するため、当該開口は、当該中央部の端部の直上付近に位置する。  即ち、ショーツを履いているときの男性陰部の基部の位置と開口の位置とは、略一致する。そのため、開口を形成するための布部材の開き動作量を少なくすることができ、排尿を迅速に行うことができる。さらに、排尿時に開口を男性陰部の位置までずらす必要が無くなり、容易に排尿することができる。【００１３】
さらに、開口が形成される位置と、男性陰部の基部の位置とが一致するから、排尿時に尿道が下方から圧迫され難い。その結果、尿をほぼ完全に排出することができ、そのため、残尿感が生じず、ショーツに残尿を漏らすこともない。【００１４】
本発明の第二特徴構成は、当該ショーツを装着した際に、前記二枚の布部材の夫々が、互いに凸状に重なり合う係合手段を備えた点にある。【００１５】
上記第二特徴構成によれば、二枚の布部材は、ショーツを装着した際に男性陰部を収容した状態で立体的に重なり合う。このため、二枚の布部材が左右に位置ズレし難い状態となって、意図的に開き動作を行わなければ開口を形成することはできない。つまり、不意な姿勢をとったときに開口が形成されてしまう「割れ」を未然に防止することができる。【００１６】
本発明の第三特徴構成は、前記係合手段を、前記二枚の布部材の夫々にダーツ処理によって設けた凸部とした点にある。【００１７】
このように、ダーツ処理によって形成された係合手段であれば、男性陰部を保持する領域を、当初より凸状に形成できる。このように形成された凸状の係合手段であれば、従来のように二枚の布部材を平面状に重ねる場合と比べて布部材の張り状態が緩和されるため、開き動作が容易に行える。
また、装着に際して男性陰部が圧迫されず、装着感に優れる。【００１８】
本発明の第四特徴構成は、前記各縁部が、前記幅方向の中央部に対して外側に凸状となるように構成した点にある。【００１９】
上記第四特徴構成によれば、一方の布部材と他方の布部材との係合面積が各縁部を彎曲形成した分だけ増加する。よって、不意な開口の形成を確実に防止することができる。【００２０】
本発明の第五特徴構成は、前記前開き部が、上下方向に長尺の略三角形形状であり、前記双方の縁部の下方端部どうしの接続が前記前開き部の上下方向の間の位置に設けてあるとともに、前記前開き部の下端部が、男性陰部の基部裏側に位置するよう構成した点にある。【００２１】
上記第五特徴構成によれば、前開き部のうち、前記縁部同士の接続位置から下端部に至る部分が男性陰部の基部裏側付近にフィットした状態となる。
そのため、排尿時に尿道を軽く押圧する効果が生じ、残尿が無くなると共に、男性陰部の基部裏側付近のサポート感覚が向上し、履き心地のよいショーツとなる。
【発明を実施するための最良の形態】
【００２２】
図１〜１５に本発明の男性用ショーツを示す。
本発明の男性用ショーツＳ（以下、ショーツＳと称する）は、排尿し易く、かつ、残尿を生じ難くするため、男性陰部Ｐの基部の位置と開口１０１の位置とがほぼ一致するよう構成してある。
即ち、二枚の布部材４,４’を重ね配置し、排尿時に男性陰部Ｐを挿通する開口１０１を形成可能な前開き部１００を備えたショーツＳであって、開口１０１を形成する二枚の布部材４,４’の各縁部１Ｘ，１Ｙのうち、一方の縁部の上方端部を、他方の布部材に互いに重なる状態に接続し、双方の縁部の下方端部どうしを、前開き部１００の幅方向の中央部１６で接続してある。【００２３】
前開き部１００には二枚の布部材４，４’が重ね配置してある（図７：斜線部分）。各布部材４，４’におけるそれぞれの縁部１Ｘ，１Ｙは他の布部材と縫合されない。そのため、各縁部１Ｘ，１Ｙの中間位置１Ｅ，１Ｆを互いに反対方向に引っ張ると、男性陰部Ｐが挿通する開口１０１が形成される（図８）。【００２４】
図７に示したように、開口１０１を形成する各縁部１Ｘ，１Ｙのうち、例えば布部材４の縁部１Ｘは、上方端部１Ａを他方の布部材４’と縫合して接続している。一方、布部材４’の縁部１Ｙは、上方端部１Ｃを他方の布部材４と縫合して接続している。縁部１Ｘ，１Ｙの下方端部１Ｂ，１Ｄどうしを、前開き部１００の中央部１６で接続してある。中央部１６は、布部材４，４’を接続する縫合線である。【００２５】
本実施形態では、下方端部１Ｂ，１Ｄどうしは略一致する位置となっているが、必ずしも一致させる必要はなく、下方端部１Ｂ，１Ｄどうしをできるだけ近付けた位置としてあればよい。このように下方端部１Ｂ，１Ｄどうしを略一致させることで、二枚の布部材４,４’の重なりの形状が略三角形状となる。【００２６】
本構成のショーツＳでは、下方端部１Ｂ，１Ｄどうしを略一致させることによって二枚の布部材４，４’の重なり形状が略三角形状となり、重なり面積ができるだけ少なくなる。このため、開口１０１を形成するための開き動作量を少なくすることができ、迅速に排尿を行い易くなる。【００２７】
（開口の形成位置）
ショーツＳを履いているとき、男性陰部Ｐの基部は、前面方向視でおおよそ前開き部１００の下方付近に位置する（図７）。
図１０に、本発明のショーツＳの前開き部１００、および、従来のショーツＳ’の前開き部１００’を重ねた模式図を示す。【００２８】
一方、開口１０１が形成されるとき（図８）、前開き部１００の中央部１６の端部を接続部１０２とすれば、接続部１０２を支点として各布部材４，４’が変形するため、当該開口１０１は、当該接続部１０２の直上付近に位置する。
即ち、ショーツＳを履いているときの男性陰部Ｐの位置と開口１０１の位置とが非常に近くなる。そのため、排尿時に開口１０１を男性陰部Ｐに向けて大きくずらす必要が無くなり、落ち着いて排尿することができる。【００２９】
図９は、前開き部１００のみを模式的に示した図である。
この図から明らかなように、前記接続部１０２の直上で開口１０１が形成されると、男性陰部Ｐの基部の位置と開口１０１とが近づくから、尿道が布部材４，４’によって下方から圧迫され難い。その結果、残尿が生じ難くなり、ショーツＳに残尿を漏らすこともなくなる。【００３０】
（係合手段）
図７，８，１１に示すように、本発明のショーツＳは、当該ショーツＳを装着した際に、二枚の布部材４，４’の夫々が、互いに凸状に重なり合う係合手段１１０，１１０’を備えている。【００３１】
例えば係合手段１１０，１１０’は、布部材４，４’を予め立体的に形成して構成する。図１２，１３に示すように、二枚の布部材４,４’の夫々にダーツ処理を施したダーツ処理部８を設けることで、係合手段１１０，１１０’を、容易に凸部１１１として形成することができる。このとき、ダーツ処理部８の基端が凸部１１１の頂点Ｔとなる。
このように、ショーツＳを装着した際に男性陰部Ｐを収容した状態で立体的な係合手段１１０，１１０’を備えることで男性陰部Ｐが圧迫されず、装着感に優れる。【００３２】
その他の係合手段１１０，１１０’の構成として、ゴム等を織り込んだ弾性布部材を二枚重ね、未装着時には二枚の布部材４,４’は単に平面状に重なり合うだけであるが、ショーツＳを装着した際に男性陰部Ｐを収容した状態で立体的に重なり合うものであってもよい。【００３３】
また、本発明のショーツＳ’では、男性陰部Ｐを立体的に収容できるため、二枚の布部材を平面状に重ねる場合と比べて布部材の張り状態が緩和されるため、開口１０１の開閉動作が容易になって男性陰部Ｐを外部に挿通させ易くなり、更に迅速に排尿を行うことができる。【００３４】
さらに、二枚の布部材４,４’は、ショーツＳを装着した際に男性陰部Ｐを収容した状態で立体的に重なり合うため、意図的に開き動作を行わなければ開口１０１を形成することはない。つまり、不意な姿勢をとったときに開口１０１が形成される、所謂「割れ」を未然に防止できる。【００３５】
（縁部の形状）
本実施形態では、各縁部１Ｘ，１Ｙが、幅方向の中央部１６に対して外側に凸状となるように構成してある。
本発明のショーツＳにおける前開き部１００は、二枚の布部材４，４’の重なりができるだけ少ない略三角形状としてある。しかし、各縁部１Ｘ，１Ｙを外側に彎曲して形成することで、一方の布部材と他方の布部材との摩擦力が作用する部位が彎曲形成した分だけ増加して、不意な開口１０１の形成を確実に防止できる。【００３６】
（前開き部）
図１４に示すように、二枚の布部材４，４’を接続して形成した前開き部１００が、上下方向に長尺の略三角形形状であり、双方の縁部１Ｘ，１Ｙの下方端部どうしの接続部１０２が前開き部１００の上下方向の間の位置に設けてある。そして、前開き部１００の下端部１０３が、男性陰部Ｐの基部裏側に位置するよう構成してある。【００３７】
このように構成することで、接続部１０２と下端部１０３との間は、二枚の布部材４,４’が男性陰部Ｐの基部裏側付近にフィットした状態とすることができる。
そのため、排尿時に尿道を軽く押圧することで残尿が生じ難くなると共に、男性陰部Ｐの基部裏側付近のサポート感覚が向上し、履き心地のよいショーツＳとなる。【００３８】
＜本発明の男性用ショーツの作製方法＞
図１〜４に完成したショーツＳを示し、図５〜６にショーツＳを構成する各パーツを示す。足帯３およびヒップカップ５の縫合線１４，１４’を境界として、ショーツＳの上半分および下半分と呼ぶ。【００３９】
帯部２０は前帯１と腰帯２、２’とを縫合線６，６’で接続して形成する。
切り込み部Ｌを重ね線Ｌ２に重ねたヒップカップ５と腰帯２とを縫合線１３で接続する。同様に、切り込み部Ｌ’を重ね線Ｌ２’に重ねたヒップカップ５’と腰帯２’とを縫合線１３’で接続する。これらを、後ろ中心線１０―１１の股繰りの縫合線で縫合することでショーツＳの上半分を形成する。【００４０】
左右の足帯３，３’は、ショーツＳの後側にある縫合線９で接続する。布部材４のダーツ処理部８をダーツ処理し、もう一方の布部材４’も同様にダーツ処理を行う（図１２，１３）。
布部材４の股底部の縫合線１６で、左右の布部材４，４’を接続する（図１１，１５）。布部材４と足帯３とを股繰り縫合線７で接続し、もう一方の布部材４’も同様に縫合線７’で接続する。
足帯３の内股縫合線１７で前後の股下部を縫合して、ショーツＳの下半分を形成する。【００４１】
そして、帯部２０の側の下端部分および足帯３０の側の上端部分を、縫合線１２、１４、１４’で接続すればショーツＳが完成する。【００４２】
[別実施形態]
上述した実施形態において、後側部材として、ヒップアップができる構成を追加することができる。当該後側部材は、例えば図１６〜１８に示したように、ヒップカップ５，５’を備えている。即ち、ヒップカップ５を構成する布部材の一部を重ねて合せ部Ｍ，Ｍ’として、外方に突出した円錐部１３０，１３０’を構成してある。【００４３】
図５等に基づき、ヒップカップ５の円錐部１３０を作成する手順について説明する。【００４４】
ヒップカップ５と腰帯２の縫合線１３の線上に、ＤＨから第一所定距離の位置にＡＨ点を設定する。ヒップカップ５の下部の点ＣＨより第二所定距離の位置に点Ｖを設定し、点ＡＨと点ＣＨを繋いだ線上であって点Ｖより第三所定距離の位置に点Ｈを決める。この点Ｈを中心として、点Ｈから点Ｖまでを半径Ｒとする円Ｑを描く。この円Ｑが、ヒップカップ５の高さを決める円錐の基本となる。【００４５】
このときできた三角形Ｈ―ＡＨ―Ｖの高さ（頂点Ｈ、底辺ＡＨ−Ｖ）が円錐の高さＫとなる。その三角形の１辺であるＶ−Ｈを延長してＨ−ＡＨを求め、図１８に示す重ね部Ｍ２を合せ部Ｍへ重ねることによりヒップカップ５の円錐形が完成する。
この円の半径Ｒがヒップのサイズにより変化することで、ヒップカップ５のサイズ変更が可能である。ヒップカップの合せ部Ｍを形成する角度は、当該サイズに関係なく４５度である。【００４６】
合せ部Ｍは、その一部を縫合しないように構成できる。
重ね部Ｍ２を、例えば合せ部Ｍに重ねたとき、図１８の切り込み部Ｌ，Ｌ’を下側の布部材と縫合しない開放部１３１，１３１’とする。重ね合わせた布部材同士は相互に位置ズレ可能である。よって、ショーツＳを装着した者のヒップのボリュームに応じて容易に位置ズレする。また、装着者の動作に応じて自在に位置ズレし、動く度に空気が出入りする通気口としての役割も果たす。このヒップカップの開放部１３１，１３１’は、縦地の目に添って裁断する。そうすることで縦編みニットの特徴を発揮し、解れが生じない。【００４７】
このように円錐部１３０を設けることにより、ヒップの肉が円錐部１３０の中に無理なく収納される。そして、ヒップを締め付けることなく、ヒップの肉が円錐部１３０の頂点Ｈの側に寄せられ、ヒップアップ効果およびヒップ整形効果が発揮される。
また、ヒップアップ効果により、ヒップの肉の重さに起因する腰痛を回避することもできる。【００４８】
本発明の男性用ショーツＳは、男性用ショーツＳの開口１０１の位置を、男性陰部Ｐの基部の位置にほぼ一致させることで残尿を防止する。そして、本実施形態のように、後側部材として円錐部１３０を設けることにより、大殿筋の運動効果を高めて男性陰部Ｐの付近の筋肉を鍛え、残尿の防止効果をさらに高めることができる。【００４９】
本発明のショーツＳは、人体の構造およびショーツの構造に鑑みて、人間工学的に極めて優れたショーツＳといえる。即ち、男性陰部の構造（位置、立体形状）に適合させるべく前開き部の開口位置を従来のショーツＳ’の開口位置と異なる位置に変更することで、残尿感が生じ難くなり、排尿時の開口形成動作である布部材の開き動作量が少なくなって、迅速な排尿を可能としている。
さらに、後側部材として円錐部を備えてヒップアップ効果を有する。
これらの機能を有するショーツを着用することで、排尿時の安心感、腰周りのルックスの向上を自覚できるため、満足度の高いものとなる。
【産業上の利用可能性】
【００５０】
本発明の男性用ショーツは、日常的に着用するショーツだけでなく、スポーツ用のショーツ等に利用できる。
【図面の簡単な説明】
【００５１】
【図１】本発明の男性用ショーツの斜め前方視概略図
【図２】本発明の男性用ショーツの斜め後方視概略図
【図３】本発明の男性用ショーツの前方視概略図
【図４】本発明の男性用ショーツの後方視概略図
【図５】本発明の男性用ショーツの基本製図の概要を示した図
【図６】本発明の男性用ショーツを構成する各パーツを示した図
【図７】前開き部概略図
【図８】開口を形成した前開き部の概略図
【図９】開口を形成した前開き部を模式的に示した概略図
【図１０】本発明のショーツの前開き部、および、従来のショーツの前開き部を重ねた模式図
【図１１】前開き部のＩ−Ｉ’断面図
【図１２】ダーツ処理前の布部材の概略図
【図１３】ダーツ処理後の布部材の概略図
【図１４】二枚の布部材を接続して形成した前開き部周辺の概略図
【図１５】二枚の布部材を接続する様子を示した概略図
【図１６】後側に円錐部を設けた男性用ショーツの要部の後方斜視図
【図１７】円錐部周辺の要部の正面概略図
【図１８】展開したヒップカップの概略図
【図１９】従来の男性用ショーツの前面視概略図
【図２０】従来の男性用ショーツの後面視概略図
【図２１】従来の男性用ショーツの前開き部概略図
【図２２】従来の男性用ショーツにおいて開口を形成した前開き部の概略図
【図２３】従来の男性用ショーツにおけるＺ−Ｚ断面図’
【符号の説明】
【００５２】
Ｓ            男性用ショーツ
Ｐ            男性陰部
１Ｘ，１Ｙ    縁部
１Ｂ，１Ｄ    下方端部
４，４’      布部材
１６          中央部
１００        前開き部
１０１        開口
１１０        係合手段
１０３        下端部
【図１】
2007097015.tif 000003
【図２】
2007097015.tif 000004
【図３】
2007097015.tif 000005
【図４】
2007097015.tif 000006
【図５】
2007097015.tif 000007
【図６】
2007097015.tif 000008
【図７】
2007097015.tif 000009
【図８】
2007097015.tif 000010
【図９】
2007097015.tif 000011
【図１０】
2007097015.tif 000012
【図１１】
2007097015.tif 000013
【図１２】
2007097015.tif 000014
【図１３】
2007097015.tif 000015
【図１４】
2007097015.tif 000016
【図１５】
2007097015.tif 000017
【図１６】
2007097015.tif 000018
【図１７】
2007097015.tif 000019
【図１８】
2007097015.tif 000020
【図１９】
2007097015.tif 000021
【図２０】
2007097015.tif 000022
【図２１】
2007097015.tif 000023
【図２２】
2007097015.tif 000024
【図２３】
2007097015.tif 000025
【国際調査報告】
2007097015.tif 000026
2007097015.tif 000027
2007097015.tif 000028
2007097015.tif 000029